(57)【特許請求の範囲】
【請求項１】
座ブトンの後端側に背ズリを傾動可能に支持して成り、前記背ズリを所望の傾動角度に保持することが可能な腰掛装置において、
前記背ズリを所望の傾動角度に保持するリクライニング機構と、前記座ブトンの側方に配設される肘掛とを備え、
前記リクライニング機構は、
前記背ズリ下端を前記座ブトン後端の座面よりも下方で据付部位側に回転可能に支持し、
前記背ズリの回転中心よりも背ズリ側部における上方の所定箇所に、前記肘掛の基端側を回転可能に支持し、
さらに前記肘掛の先端側を、該肘掛がその長手方向に略一定な角度を保つ状態にすべくリンク部材を介して、前記背ズリの回転中心よりも据付部位側における前方の位置に互いに回転可能に支持して四節回転機構を形成し、かつ前記背ズリないし肘掛を所定の位置に拘束可能なロック手段を設けて成り、
前記座ブトンは、該座ブトンの前半側が前記リンク部材の途中に対して枢支ピンにより回転可能に支持され、後端側には長孔を有する取付ブラケットが一体に突設されており、
前記背ズリは、該背ズリ側部の下方に突設された枢支ピンが前記取付ブラケットの長孔に対して相対的に回転および移動可能に嵌合しており、
前記リクライニング機構による背ズリの傾動に伴って前記肘掛が連動し、該肘掛はその長手方向に略一定な角度を保つ状態で、該肘掛の基端側が前記背ズリ側部の所定箇所に対しその傾動軌跡上を追随するとともに、連動する該座ブトンがその座面を略一定な角度に保った状態で、該座ブトンの後端側が前記背ズリの基端側に対して所定の隙間を維持するように設定したことを特徴とする腰掛装置。
【請求項２】
前記ロック手段は、
前記背ズリの回転中心と、前記リンク部材の上端側に対する前記肘掛の先端側の連結点、
または前記リンク部材の下端側の据付部位に対する回転中心と、前記背ズリに対する前記肘掛の基端側の連結点の
何れか一方の前記四節回転機構の２関節間を、これらの対角線上にて互いに連結し、所定操作により長さを無段階に調整および固定可能なダンパから成ることを特徴とする請求項１記載の腰掛装置。
【請求項３】
前記ロック手段は、前記背ズリの回転中心と、前記リンク部材の上端側に対する前記肘掛の先端側の連結点である前記四節回転機構の２関節間を、これらの対角線上にて互いに連結し、所定操作により長さを無段階に調整および固定可能なダンパから成り、
前記ダンパの長さの固定を解除する操作部を、該ダンパの一端側の直ぐ傍らに位置する前記肘掛の先端側に設けたことを特徴とする請求項２記載の腰掛装置。
【請求項４】
前記肘掛は、前記リクライニング機構を総て隠蔽するカバー部を備えた形状であることを特徴とする請求項１，２または３記載の腰掛装置。
【請求項５】
前記座ブトンは、少なくとも前記リクライニング機構のリンク部材と前記背ズリ側部のそれぞれの途中箇所に回転可能に連結支持されたことを特徴とする請求項１，２，３または４記載の腰掛装置。
【発明の詳細な説明】
【０００１】
【発明の属する技術分野】
本発明は、座ブトンの後端側に背ズリを傾動可能に支持して成り、前記背ズリを所望の傾動角度に保持することが可能な腰掛装置に関する。ここで腰掛装置は、主として鉄道車両、航空機等の乗物に装備されるものである。
【０００２】
【従来の技術】
従来、この種の腰掛装置としては、図９および図１０に示すものが知られている。すなわち、脚台１上に座ブトン２を固設し、座ブトン２の両側方等に肘掛４を配設したものがある。座ブトン２の後端には、リクライニング機構５を介して背ズリ３が傾動可能に支持されている。
【０００３】
肘掛４はそのソデフレーム４ａを介して、座ブトン２内のシートフレーム２ａに一体に固設されている。そのため肘掛４は、背ズリ３のリクライニング（傾動）に際しても元の位置から一切動くことがない。また背ズリ３の下端は、座ブトン２の後端よりやや上方の位置に回転軸５ａを介して回転可能に支持されている。この回転軸５ａが背ズリ３の回転中心となる。
【０００４】
リクライニング機構５は、背ズリ３を所望の傾動角度に保持するためのロック用ダンパ５ｂを備えており、このロック用ダンパ５ｂは座ブトン２の下側に配設されていた。また、ロック用ダンパ５ｂの拘束を解除する操作レバー５ｃは、肘掛４の先端側に設けられており、この操作レバー５ｃの動作を伝達するためのケーブル５ｄは、前記ロック用ダンパ５ｂに至るように内装されている。
【０００５】
【発明が解決しようとする課題】
しかしながら、前述した従来の腰掛装置では、背ズリ３をリクライニング（傾動）させても、これに応じて肘掛４は動くことがないので、背ズリ３を後方へ倒すほど、肘掛４の先端側にある操作レバー５ｃが着座者にとって遠くなり、操作しづらくなるという問題があった。
【０００６】
また、肘掛４の高さ位置も変わらないことから、背ズリ３を後方へ大きく倒したリクライニング状態では、肘掛４上の着座者の腕の位置が相対的に前上方へ伸び上がるようないわゆるバンザイ状態となってしまうため、着座者の肩付近の疲労度が増すようなおそれもあった。
【０００７】
さらに、背ズリ３の回転中心は、座ブトン２の後端より上方に位置するため、背ズリ３を後方へ倒す際に、着座者の臀部が座ブトン２の座面上を前方へ滑ってしまういわゆる尻ズレ現象や、同じく背ズリ３を後方へ倒す際に、背ズリ３の表面（背凭れ面）側に接している着座者の衣服がズリ上がるような現象が多く、着座感が損なわれるおそれもあった。
【０００８】
本発明は、以上のような従来技術が有する問題点に着目してなされたもので、背ズリの傾動に応じて肘掛を連動させることにより、背ズリの表面側と肘掛との相対的な距離の変化を最小限に抑えて、リクライニング機構の操作性を向上させると共に、いわゆるバンザイ状態の発生も極力なくし、さらに尻ズレ現象や衣服のズリ上がり現象をなくすことで、より快適な着座感を実現することが可能な腰掛装置を提供することを目的としている。
【０００９】
【課題を解決するための手段】
前述した目的を達成するための本発明の要旨とするところは、次の各項に存する。
［１］座ブトン（２０）の後端側に背ズリ（３０）を傾動可能に支持して成り、前記背ズリ（３０）を所望の傾動角度に保持することが可能な腰掛装置（１０）において、
前記背ズリ（３０）を所望の傾動角度に保持するリクライニング機構（５０）と、前記座ブトン（２０）の側方に配設される肘掛（４０）とを備え、
前記リクライニング機構（５０）は、
前記背ズリ（３０）下端を前記座ブトン（２０）後端の座面よりも下方で据付部位側に回転可能に支持し、
前記背ズリ（３０）の回転中心よりも背ズリ（３０）側部における上方の所定箇所に、前記肘掛（４０）の基端側を回転可能に支持し、
さらに前記肘掛（４０）の先端側を、該肘掛（４０）がその長手方向に略一定な角度を保つ状態にすべくリンク部材（４５）を介して、前記背ズリ（３０）の回転中心よりも据付部位側における前方の位置に互いに回転可能に支持して四節回転機構を形成し、かつ前記背ズリ（３０）ないし肘掛（４０）を所定の位置に拘束可能なロック手段（５１）を設けて成り、
前記座ブトン（２０）は、該座ブトン（２０）の前半側が前記リンク部材（４５）の途中に対して枢支ピン（２５）により回転可能に支持され、後端側には長孔を有する取付ブラケット（２６）が一体に突設されており、
前記背ズリ（３０）は、該背ズリ（３０）側部の下方に突設された枢支ピン（３５）が前記取付ブラケット（２６）の長孔に対して相対的に回転および移動可能に嵌合しており、
前記リクライニング機構（５０）による背ズリ（３０）の傾動に伴って前記肘掛（４０）が連動し、該肘掛（４０）はその長手方向に略一定な角度を保つ状態で、該肘掛（４０）の基端側が前記背ズリ（３０）側部の所定箇所に対しその傾動軌跡上を追随するとともに、連動する該座ブトン（２０）がその座面を略一定な角度に保った状態で、該座ブトン（２０）の後端側が前記背ズリ（３０）の基端側に対して所定の隙間を維持するように設定したことを特徴とする腰掛装置（１０）。
【００１１】
［２］前記ロック手段（５１）は、
前記背ズリ（３０）の回転中心と、前記リンク部材（４５）の上端側に対する前記肘掛（４０）の先端側の連結点、
または前記リンク部材（４５）の下端側の据付部位に対する回転中心と、前記背ズリ（３０）に対する前記肘掛（４０）の基端側の連結点の
何れか一方の前記四節回転機構の２関節間を、これらの対角線上にて互いに連結し、所定操作により長さを無段階に調整および固定可能なダンパ（５１）から成ることを特徴とする［１］記載の腰掛装置（１０）。
【００１２】
［３］前記ロック手段（５１）は、前記背ズリ（３０）の回転中心と、前記リンク部材（４５）の上端側に対する前記肘掛（４０）の先端側の連結点である前記四節回転機構の２関節間を、これらの対角線上にて互いに連結し、所定操作により長さを無段階に調整および固定可能なダンパ（５１）から成り、
前記ダンパ（５１）の長さの固定を解除する操作部（６０）を、該ダンパ（５１）の一端側の直ぐ傍らに位置する前記肘掛（４０）の先端側に設けたことを特徴とする［２］記載の腰掛装置（１０）。
【００１３】
［４］前記肘掛（４０）は、前記リクライニング機構（５０）を総て隠蔽するカバー部（４２）を備えた形状であることを特徴とする［１］，［２］または［３］記載の腰掛装置（１０）。
【００１５】
［５］前記座ブトン（２０）は、少なくとも前記リクライニング機構（５０）のリンク部材（４５）と前記背ズリ（３０）側部のそれぞれの途中箇所に回転可能に連結支持されたことを特徴とする［１］，［２］，［３］または［４］記載の腰掛装置（１０）。
【００１６】
次に前述した解決手段に基づく作用を説明する。
本発明に係る腰掛装置（１０）によれば、リクライニング機構（５０）による背ズリ（３０）の傾動に伴って肘掛（４０）が連動し、肘掛（４０）はその長手方向に略一定な角度を保つ状態で、肘掛（４０）の基端側が背ズリ（３０）側部の所定箇所に対しその傾動軌跡上を追随するように動く。
【００１７】
それにより、背ズリ（３０）を後方へ大きく倒したリクライニング時には、これに伴い肘掛（４０）も後下方へ向かってほぼ一定の角度のまま移動することになる。従って、例えばリクライニング機構（５０）の操作部（６０）が肘掛（４０）の先端側にあるような場合でも、リクライニング状態の着座者にとっても前記操作部（６０）が相対的に離れることがない。このように、背ズリ（３０）が如何なる傾動角度にあっても、無理な姿勢を強いられることなく、快適にリクライニング操作を行うことができる。
【００１８】
また、前述した如く背ズリ（３０）の傾動に伴って肘掛（４０）が連動することにより、リクライニング時に着座者の腕の位置が相対的に前上方へ伸び上がるようなバンザイ状態となることもなく、また尻ズレ現象や衣服のズリ上がり現象もなくなるので、これらの現象に起因するような疲労や不快感は少なくとも解消でき、より快適な座り心地を得ることができる。
【００１９】
前記背ズリ（３０）の傾動に伴う肘掛（４０）の連動は、例えば前記リクライニング機構（５０）を、四節回転機構を利用して構成することにより、比較的簡易な構成で容易に実現することができる。具体的には、背ズリ（３０）下端を据付部位側に回転可能に支持し、背ズリ（３０）の回転中心よりも背ズリ（３０）側部における上方の所定箇所に、肘掛（４０）の基端側を回転可能に支持する。
【００２０】
肘掛（４０）の先端側は、該肘掛（４０）がその長手方向に略一定な角度を保つ状態にすべくリンク部材（４５）を介して、前記背ズリ（３０）の回転中心よりも据付部位側における前方の位置に互いに回転可能に支持されている。これにより、前記リンク部材（４５）の他に、肘掛（４０）と背ズリ（３０）自体が、それぞれ四節回転機構の可動な節（リンク）に相当することになる。
【００２１】
ここで前記背ズリ（３０）ないし肘掛（４０）を所定の位置に拘束可能なロック手段（５１）を設けてあるので、背ズリ（３０）を所望の傾動角度にて保持することができる。ここでロック手段（５１）には様々な形態が考えられるが、前記四節回転機構の構造上の特徴に合うものとして、例えば前記［２］，［３］記載のようなダンパ（５１）から構成すれば、背ズリ（３０）の傾動角度を無段階に調整でき、所望の角度で確実かつ簡易に保持することができる。
【００２２】
また、前記肘掛（４０）は前記四節回転機構の利用により、特に肘掛専用のフレームを設けなくても必要な支持強度を確保することができる。この肘掛（４０）を、前記ロック手段（５１）も含めたリクライニング機構（５０）の総て隠蔽するカバー部（４２）を備えた形状とすれば、見栄えも良くすることが可能となる。
【００２３】
さらにまた、腰掛装置（１０）は、前記リクライニング機構（５０）による背ズリ（３０）の傾動に伴って前記座ブトン（２０）も連動し、該座ブトン（２０）の座面が略一定な角度を保つ状態で、該座ブトン（２０）の後端側が、前記背ズリ（３０）の基端側に対して所定の隙間を維持するように設定されている。これにより、背ズリ（３０）を後方へ大きく倒しても、着座面側において背ズリ（３０）の下端と座ブトン（２０）の後端との間に隙間が生じるようなことがなく、より快適な座り心地を得ることができる。
【００２４】
具体的には例えば、前記座ブトン（２０）を、少なくとも前記リクライニング機構（５０）のリンク部材（４５）と前記背ズリ（３０）側部のそれぞれの途中箇所に回転可能に連結支持することにより、簡易な構成で背ズリ（３０）の傾動に座ブトン（２０）も連動させることができる。
【００２５】
【発明の実施の形態】
以下、図面に基づき本発明の各種実施の形態を説明する。
図１〜図７は本発明の第１実施の形態を示している。
本実施の形態に係る腰掛装置１０は車両等に装備されるものであり、座ブトン２０の後端側に背ズリ３０を傾動可能に支持して成り、背ズリ３０を所望の傾動角度に保持することが可能な装置である。
【００２６】
座ブトン２０は、据付部位であるフロア上に台座（図示せず）を介して固設されている。座ブトン２０は、シートフレーム２１にクッションパッド２２を装着して形成されている。座ブトン２０の側方には、背ズリ３０の傾動に伴って連動するように肘掛４０が配設されている。この肘掛４０については後述する。
【００２７】
背ズリ３０は、リクライニング機構５０を介して座ブトン２０の後端側に傾動可能に支持されており、このリクライニング機構５０により着座者が所望の傾動角度に保持することができるようになっている。背ズリ３０は、バックフレーム（図示せず）にバックパッド３２を装着して形成されている。
【００２８】
本腰掛装置１０では、リクライニング機構５０による背ズリ３０の傾動に伴って肘掛４０が連動し、該肘掛４０はその長手方向に略一定な角度を保つ状態で、該肘掛４０の基端側が前記背ズリ３０側部の所定箇所に対し、その傾動軌跡上を追随するように設定されている。
【００２９】
リクライニング機構５０は、以下のような部材間の支持連結により四節回転機構として構成されている。先ず背ズリ３０は、その下端部が座ブトン２０の直ぐ後方であって、座面よりも下方の位置に回転軸３３を介して回転可能に支持されている。この回転軸３３が背ズリ３０の回転中心となる。なお回転軸３３は、実際には図示省略した台座やこれに固着したブラケット等に枢支される。
【００３０】
また、背ズリ３０の回転軸３３よりも、背ズリ３０側部における上方の所定箇所に、肘掛４０の基端側が枢支ピン３４を介して回転可能に支持されている。詳しく言えば肘掛４０は、座ブトン２０の座面とほぼ並行に長手（前後）方向に延びる肘掛体４１と、該肘掛体４１に一体成形されて下方へ向かって広がるカバー部４２とから成る。
【００３１】
肘掛体４１は着座者が腕を直接載せる部位であり、フレーム体４１ａの上面側に沿ってクッションカバー４１ｂを装着して成る。この肘掛体４１の基端側が、前記枢支ピン３４により回転可能に支持されている。またカバー部４２は、リクライニング機構５０の構成部品の総てを側方より隠蔽する大きさおよび形状に成形されている。
【００３２】
肘掛体４１の先端側は、該肘掛体４１がその長手方向に略一定な角度を保つ状態に支持されるべくリンク部材４５を介して、前記背ズリ３０の回転軸３３よりも据付部位側における前方の位置に支持されている。ここでリンク部材４５の上端側と肘掛体４１の先端側との連結点、前記背ズリ３０の側部と肘掛体４１の基端側との連結点が、それぞれ四節回転機構における２つの可動な関節となる。
【００３３】
詳しく言えば、リンク部材４５の上端側と肘掛体４１の先端側とは、枢支ピン４６により互いに回転可能に連結されている。また、リンク部材４５の下端側は据付部位側に対して、回転軸４７を介して回転可能に支持されている。
【００３４】
また、リクライニング機構５０は、前記背ズリ３０ないし肘掛４０を所定の位置に拘束可能なロック手段を有している。かかるロック手段は、前記背ズリ３０の回転軸３３と、前記リンク部材４５の上端側に対する前記肘掛体４１の先端側の連結点との２関節間を、これらの対角線上にて互いに連結するダンパ５１から成る。
【００３５】
ダンパ５１は、いわゆるガス・オイルロック機構を使用して、長さを無段階に調整および固定可能なものである。ダンパ５１の構成は一般的であるので詳細な説明は省略するが、図４および図５に示すように、長手方向に延びる外筒部材５２に、ピストンロッド５３が伸縮自在に内嵌されている。
【００３６】
外筒部材５２の基端側には取付ブラケット５２ａが一体に固設されており、この取付ブラケット５２ａが、前記背ズリ３０の回転軸３３に対して回転可能に枢支されている。一方、ピストンロッド５３の先端側にも取付ブラケット５３ａが一体に固設されており、この取付ブラケット５３ａが、前記リンク部材４５と肘掛体４１とを連結する枢支ピン４６に対して回転可能に枢支されている。
【００３７】
ピストンロッド５３内には、プッシュロッド５４が移動可能に貫通しており、このプッシュロッド５４の先端を押すことにより、内部のガス・オイルロック機構の拘束を解除できるように構成されている。なお、外筒部材５２に対してピストンロッド５３は、外側に突出する方向に付勢されている。
【００３８】
ダンパ５１の長さの固定を解除する操作部６０は、該ダンパ５１の一端側の直ぐ傍らに位置する前記肘掛体４１の先端側に設けられている。操作部６０は、肘掛体４１の先端内側に出没可能に設けられた操作ボタン６１と、該操作ボタン６１と前記プッシュロッド５４との間に配設された第１テコ部材６２、第２テコ部材６３、それに中継リンク部材６４とから成る。
【００３９】
着座者が操作ボタン６１を押すと、この操作ボタン６１に直接連結してある第１テコ部材６２が先ず回動する。すると第１テコ部材６２の作用点側に連結してある中継リンク部材６４も一方向へ動いて、それにより第２テコ部材６３が、前記プッシュロッド５４を押し込むように動力伝達すべく相互に連結されている。
【００４０】
次に作用を説明する。
図１および図６に示すように、本腰掛装置１０はそのリクライニング機構５０により、背ズリ３０が最も前傾するアップライト状態と、同じく背ズリ３０が最も後傾するフルリクライニング状態との間にて、着座者が所望の傾動角度に無段階に調整し保持することができる。
【００４１】
背ズリ３０の傾動角度を調整するに際し、図４，図５において操作ボタン６１を押すと、この操作ボタン６１に直接連結してある第１テコ部材６２が回動し、第１テコ部材６２の作用点側に連結してある中継リンク部材６４も一方向へと動く。すると、第２テコ部材６３の作用点側に当接していた前記プッシュロッド５４が押し込まれることにより、ダンパ５１の長さ固定が解除される。このとき、着座者は背ズリ３０を所望の傾動角度まで背中で後方へ押すことができる。
【００４２】
また、ダンパ５１の構造上、外筒部材５２に対してピストンロッド５３は外側に突出する方向に付勢されているので、前記操作ボタン６１を押している際に背ズリ３０に対し後方への力がかかっていなければ、ダンパ５１自体の伸びる力により、背ズリ３０は自然にアップライト状態まで前傾することになる。なお、着座者は背ズリ３０を所望の傾動角度まで動かした時点で、前記操作ボタン６１から指を離せば、背ズリ３０は当該位置にてダンパ５１により固定される。
【００４３】
このようなリクライニング機構５０による背ズリ３０の傾動に伴って、肘掛４０は連動する。すなわち肘掛４０は、その肘掛体４１が長手方向に略一定な角度を保つ状態で、肘掛体４１の基端側が背ズリ３０側部との連結点（枢支ピン３４）に対して、かかる傾動軌跡上を追随するように動く。
【００４４】
すなわち、図６で模式的に示したように、リクライニング機構５０の四節回転機構において、肘掛４０の肘掛体４１自体が略平行移動する節となっているため、図２および図６（ｂ）に示すように、背ズリ３０を後方へ大きく倒したフルリクライニング時には、これに伴い肘掛体４１も後下方へ向かってほぼ一定の角度のまま移動することになる。
【００４５】
従って、本実施の形態の如くリクライニング機構５０の操作部６０（操作ボタン６１）が肘掛体４１の先端側にあるような場合でも、フルリクライニング状態の着座者にとって前記操作部６０が相対的に離れることがない。このように、背ズリ３０が如何なる傾動角度にあっても、無理な姿勢を強いられることなく快適にリクライニング操作を行うことができる。
【００４６】
前述した如く背ズリ３０の傾動に伴って肘掛４０が連動することにより、フルリクライニング時に着座者の腕の位置が相対的に前上方へ伸び上がるようなバンザイ状態となることもない。それにより、着座者の肩付近における疲労感を軽減させることができる。
【００４７】
さらに本実施の形態では、背ズリ３０の回転軸３３が座ブトン２０後端の座面よりも下方に位置するため、背ズリ３を後方へ倒す際に、従来技術の如く着座者の臀部が、座ブトン２の座面上を前方へ滑ってしまうような尻ズレ現象も解消さされる。
【００４８】
また、背ズリ３の表面（背凭れ面）側に接している着座者の衣服がズリ上がるような現象もなくなり、より快適な座り心地を実現することができる。また、図１に示すように、背ズリ３０の下端が座ブトン２０の後端を覆うように下方へ延出することにより、従来の如く背ズリの下端と座ブトンの後端との間に生じる隙間を隠蔽するためのカバー部材を設ける必要もない。
【００４９】
前記背ズリ３０の傾動に伴う肘掛４０の連動は、前記リクライニング機構５０を、四節回転機構を利用して構成したことで、比較的簡易な構成で容易に実現することができる。また、前記肘掛４１が四節回転機構の節に相当することにより、特別に肘掛専用のフレームを設けなくても必要な支持強度を十分に確保することができる。
【００５０】
前記ダンパ５１も含めたリクライニング機構５１の総ての構成部品は、肘掛４０のカバー部４２によって隠蔽されるため、見栄えも良くすることができる。ここでカバー部４２の形状は、リンク部材４５やダンパ５１を隠すことができれば、特に意匠上の規制を受けることはない。
【００５１】
特にダンパ５１も、その操作ボタン６１がある肘掛４０内部に設けたことにより、操作ボタン６１の操作力を直ぐ傍らのダンパ５１側へ直接伝えることができ、従来技術の如く座ブトン下側に配設したロック用ダンパ５ｂから操作ボタン６１まで中継するようなケーブルは不要となる。
【００５２】
また、従来技術の如くダンパ５１を座ブトン２０下側に配設しないため、従来必要であった座ブトン２０の肉削りがなくなり、座ブトン２０の座面全体にわたって均一なクッション性を確保することができる。さらに、リクライニング機構５０の配設に基づく座ブトン２０の制約はなくなるので、座面の後部傾斜を増す等の自由な成形も可能となる。
【００５３】
図７および図８は本発明の第２実施の形態を示している。
本実施の形態は、前記リクライニング機構５０による背ズリ３０の傾動に伴って座ブトン２０も連動し、該座ブトン２０の座面が略一定な角度を保つ状態で、該座ブトン２０の後端側が、前記背ズリ３０の基端側に対して所定の隙間を維持するように設定したものである。
【００５４】
座ブトン２０は、その前半側が前記リンク部材４５の途中に対して枢支ピン２５により回転可能に支持され、後端側には取付ブラケット２６が一体に突設されており、この取付ブラケット２６の遊びを有する長孔に対して、背ズリ３０側部の下方に突設された枢支ピン３５が相対的に回転および若干移動可能に嵌合している。
【００５５】
このように座ブトン２０は、少なくとも前記リクライニング機構５０のリンク部材４５と前記背ズリ３０側部のそれぞれの途中箇所に回転可能に連結されることにより、背ズリ３０の傾動に伴い連動するように支持されている。
【００５６】
それにより、本実施の形態では、背ズリ３０をフルリクライニング状態になるまで後方へ大きく倒しても、背ズリ３０の下端と座ブトン２０の後端との間に隙間が生じるようなことがなく、より快適な座り心地を得ることができる。なお、第１実施の形態と同種の部位には同一符号を付して重複した説明を省略する。
【００５７】
なお、本発明に係る腰掛装置は各実施の形態において具体的に示した構成に限定されるものではない。例えば、座ブトン２０を台座に対して水平方向に回転可能に支持して、腰掛装置１０の前後の向きを手動あるいは電動力で転換できるようにしてもよい。
【００５８】
また、前記ロック手段５０であるダンパ５１により、前記背ズリ３０の回転軸３３と、前記リンク部材５１の上端側に対する肘掛体４１の先端側の連結点との２関節間とを互いに連結したが、ダンパ５１により、前記リンク部材５１の下端側の据付部位に対する回転中心と、前記背ズリ３０に対する肘掛体４１の基端側の連結点とを互いに連結するように構成してもよい。
【００５９】
【発明の効果】
本発明に係る腰掛装置によれば、リクライニング機構による背ズリの傾動に伴って肘掛が連動し、該肘掛はその長手方向に略一定な角度を保つ状態で、該肘掛の基端側が前記背ズリ側部の所定箇所に対しその傾動軌跡上を追随するから、リクライニング機構の操作部が肘掛の先端側にあるような場合でも、リクライニング状態の着座者にとっても前記操作部が相対的に離れることがなく、快適にリクライニング操作を行うことができる。
【００６０】
また、前述した如く背ズリの傾動に伴って肘掛が連動することにより、リクライニング時に着座者の腕の位置が相対的に前上方へ伸び上がるようなバンザイ状態となることもなく、また尻ズレ現象や衣服のズリ上がり現象もなくなるので、これらの現象に起因するような疲労や不快感は少なくとも解消でき、より快適な座り心地を得ることができる。
【図面の簡単な説明】
【図１】本発明の第１実施の形態に係る腰掛装置を示す側面図である。
【図２】本発明の第１実施の形態に係る腰掛装置の背ズリの傾動角度の変化を示す斜視図である。
【図３】本発明の第１実施の形態に係る腰掛装置を示す平面図である。
【図４】本発明の第１実施の形態に係る腰掛装置のリクライニング装置の要部を示す側面図である。
【図５】図４のＶ矢視図である。
【図６】本発明の第１実施の形態に係る腰掛装置の背ズリの傾動角度の変化を示す模式図である。
【図７】本発明の第２実施の形態に係る腰掛装置を示す側面図である。
【図８】本発明の第２実施の形態に係る腰掛装置の背ズリの傾動角度の変化を示す斜視図である。
【図９】従来の腰掛装置を示す斜視図である。
【図１０】従来の腰掛装置の内部構造を示す斜視図である。
【符号の説明】
１０…腰掛装置
２０…座ブトン
２１…シートフレーム
２２…クッションパッド
３０…背ズリ
３２…バックパッド
３３…回転軸
３４…枢支ピン
４０…肘掛
４１…肘掛体
４２…カバー部
４５…リンク部材
５０…リクライニング機構
５１…ダンパ
５２…外筒部材
５３…ピストンロッド
５４…プッシュロッド
６０…操作部
６１…操作ボタン
６２…第１テコ部材
６３…第２テコ部材
６４…中継リンク部材
【図１】
0004554020.tif 000002
【図２】
0004554020.tif 000003
【図３】
0004554020.tif 000004
【図４】
0004554020.tif 000005
【図５】
0004554020.tif 000006
【図６】
0004554020.tif 000007
【図７】
0004554020.tif 000008
【図８】
0004554020.tif 000009
【図９】
0004554020.tif 000010
【図１０】
0004554020.tif 000011